(57)【要約】【課題】照明器具で照射する光の誘目性を高めることができる照明システムを提供する。【解決手段】照明システム１は、第１領域Ａ１の一部に光を照射する照明器具４１と、第１領域Ａ１と部分的に重なる第２領域Ａ２の一部に光を照射する照明器具４２とを備える。照明システム１は、照明器具４１の光を重複外第１領域Ａ１ａ内にて移動させる第１モードＭ１と、第２照明器具４２の光を重複外第２領域Ａ２ａ内にて移動させる第２モードＭ２と、照明器具４１、４２の少なくとも一方の光を重複領域Ａ１２内にて移動させる中間モードＭ１２とを有する。制御部１０は、第１モードＭ１における照射領域５０の移動経路Ｔ１と中間モードＭ１２における照射領域５０の移動経路Ｔ１２とが繋がるように、かつ、当該移動経路Ｔ１２と第２モードＭ２における照射領域５０の移動経路Ｔ２とが繋がるように、照射領域５０の移動を制御する。【選択図】図１
2019169397.tif 000002
【特許請求の範囲】
【請求項１】
第１領域の一部に光を照射する第１照明器具と、
前記第１領域と部分的に重なる第２領域の一部に光を照射する第２照明器具と、
前記第１照明器具および前記第２照明器具を制御する制御部と
を備える照明システムであって、
前記第１照明器具の光の照射領域を、前記第１領域のうち前記第１領域と前記第２領域とが重なる重複領域を除く領域内にて移動させる第１モードと、前記第２照明器具の光の照射領域を、前記第２領域のうち前記重複領域を除く領域内にて移動させる第２モードと、前記第１照明器具および前記第２照明器具の少なくとも一方の光の照射領域を、前記重複領域内にて移動させる中間モードとを有し、
前記制御部は、前記第１モードにおける前記照射領域の移動経路と前記中間モードにおける前記照射領域の移動経路とが繋がるように、かつ、前記中間モードにおける前記照射領域の移動経路と前記第２モードにおける前記照射領域の移動経路とが繋がるように、前記照射領域の移動を制御する
照明システム。
【請求項２】
前記制御部は、前記第１モード、前記中間モードおよび前記第２モードにおけるそれぞれの前記照射領域の輝度、色、形状および移動速度のうち少なくとも１つが同じとなるように、前記照射領域に照射する光を制御する
請求項１に記載の照明システム。
【請求項３】
前記制御部は、前記照射領域を移動させる場合に、前記照射領域の輝度、色、形状および移動速度のうち少なくとも１つが変化するように、前記照射領域に照射する光を制御する
請求項１に記載の照明システム。
【請求項４】
第１領域の一部に光を照射する第１照明器具と、
前記第１領域に間をあけて位置する第２領域の一部に光を照射する第２照明器具と、
前記第１照明器具および前記第２照明器具を制御する制御部と
を備える照明システムであって、
前記第１照明器具の光の照射領域を前記第１領域内にて移動させる第１モードと、前記第２照明器具の光の照射領域を前記第２領域内にて移動させる第２モードとを有し、
前記制御部は、前記第１領域と前記第２領域との間の領域において前記第１モードにおける前記照射領域の移動経路と前記第２モードにおける前記照射領域の移動経路とが仮想的に繋がるように、前記第１モードおよび前記第２モードにおける前記照射領域の移動を制御する
照明システム。
【請求項５】
前記制御部は、前記第１モードおよび前記第２モードにおけるそれぞれの前記照射領域の移動速度が同じとなるように、前記照射領域の移動を制御する
請求項４に記載の照明システム。
【請求項６】
前記制御部は、前記照射領域を前記第１領域から前記第２領域に移動させる場合に、前記第１照明器具および前記第２照明器具のそれぞれを周期的に点滅させ、かつ、当該点滅の周期のうちの消灯時間と前記間の領域にて費やす時間とが同じになるように、前記第１照明器具および前記第２照明器具を制御する
請求項４または５に記載の照明システム。
【請求項７】
前記制御部は、前記第２モードにおいて前記照射領域の移動を終了した場合に、前記照射領域の輝度、色および形状のうち少なくとも１つを移動時と異なるように、前記第２照明器具を制御する
請求項１〜６のいずれか１項に記載の照明システム。
【請求項８】
さらに、
前記第１領域および前記第２領域の位置、または、形状を入力する入力部を有する
請求項１〜７のいずれか１項に記載の照明システム。
【請求項９】
前記制御部は、所定の入力を受け付けた場合に、前記第１領域および前記第２領域の全範囲に前記光が照射されるように、前記第１照明器具および前記第２照明器具を制御する
請求項１〜８のいずれか１項に記載の照明システム。
【発明の詳細な説明】
【技術分野】
【０００１】
本発明は、複数の照明器具を制御する照明システムに関する。
【背景技術】
【０００２】
従来、複数の照明器具を制御する照明システムが知られている。この種の照明システムの一例として、特許文献１には、広い領域に光を照射する全般照明器具と、全般照明器具よりも狭い領域に光を照射する局所照明器具と、人検知センサとを備える照明システムが開示されている。この照明システムでは、人検知センサによって人の位置を検知し、検知した人が所定領域外に居る場合は全般照明器具を点灯させ、また、検知した人が所定領域内に居る場合は局所照明器具を点灯させている。
【先行技術文献】
【特許文献】
【０００３】
【特許文献１】特開２０１０−２７２４４１号公報
【発明の概要】
【発明が解決しようとする課題】
【０００４】
しかしながら特許文献１の照明システムでは、人が居る場所に応じて全般照明器具あるいは局所照明器具を点灯させることで、光が照射される領域の広さを切り替えている。そのため、各照明器具で照射する光によって人の目を引き付けたり人を誘導したりすること、すなわち誘目性を高めることが困難である。
【０００５】
そこで本発明は、照明器具で照射する光の誘目性を高めることができる照明システムを提供することを目的とする。
【課題を解決するための手段】
【０００６】
本発明の一態様に係る照明システムは、第１領域の一部に光を照射する第１照明器具と、前記第１領域と部分的に重なる第２領域の一部に光を照射する第２照明器具と、前記第１照明器具および前記第２照明器具を制御する制御部とを備える照明システムであって、前記第１照明器具の光の照射領域を、前記第１領域のうち前記第１領域と前記第２領域とが重なる重複領域を除く領域内にて移動させる第１モードと、前記第２照明器具の光の照射領域を、前記第２領域のうち前記重複領域を除く領域内にて移動させる第２モードと、前記第１照明器具および前記第２照明器具の少なくとも一方の光の照射領域を、前記重複領域内にて移動させる中間モードとを有し、前記制御部は、前記第１モードにおける前記照射領域の移動経路と前記中間モードにおける前記照射領域の移動経路とが繋がるように、かつ、前記中間モードにおける前記照射領域の移動経路と前記第２モードにおける前記照射領域の移動経路とが繋がるように、前記照射領域の移動を制御する。
【０００７】
本発明の他の一態様に係る照明システムは、第１領域の一部に光を照射する第１照明器具と、前記第１領域に間をあけて位置する第２領域の一部に光を照射する第２照明器具と、前記第１照明器具および前記第２照明器具を制御する制御部とを備える照明システムであって、前記第１照明器具の光の照射領域を前記第１領域内にて移動させる第１モードと、前記第２照明器具の光の照射領域を前記第２領域内にて移動させる第２モードとを有し、前記制御部は、前記第１領域と前記第２領域との間の領域において前記第１モードにおける前記照射領域の移動経路と前記第２モードにおける前記照射領域の移動経路とが仮想的に繋がるように、前記第１モードおよび前記第２モードにおける前記照射領域の移動を制御する。
【発明の効果】
【０００８】
本発明に係る照明システムによれば、照明器具で照射する光の誘目性を高めることができる。
【図面の簡単な説明】
【０００９】
【図１】実施の形態１に係る照明システムを示す図である。
【図２】実施の形態１に係る照明システムを示すブロック構成図である。
【図３】実施の形態１に係る照明システムの動作を示すフローチャートである。
【図４】実施の形態１に係る照明システムにおける照射領域の移動時間と位置との関係を示す図である。
【図５】実施の形態１の変形例１に係る照明システムを示す図である。
【図６Ａ】実施の形態１の変形例１に係る照明システムの照射領域の面積および輝度の変化を示す図である。
【図６Ｂ】実施の形態１の変形例１に係る照明システムの照射領域の色の変化を示す図である。
【図６Ｃ】実施の形態１の変形例１に係る照明システムの照射領域の移動速度の変化を示す図である。
【図７】実施の形態１の変形例２に係る照明システムを示す図である。
【図８】実施の形態１の変形例２に係る照明システムの照射領域の輝度の変化を示す図である。
【図９】実施の形態１の変形例３に係る照明システムを示す図である。
【図１０】実施の形態１の変形例３に係る照明システムの照射領域の位置の変化を示す図である。
【図１１】実施の形態２に係る照明システムを示す図である。
【図１２】実施の形態２に係る照明システムの動作を示すフローチャートである。
【図１３】実施の形態２に係る照明システムにおける照射領域の移動時間と位置との関係を示す図である。
【図１４】実施の形態２の変形例１に係る照明システムの光の点滅状態を示す図である。
【図１５】実施の形態３に係る照明システムにて照射領域を入力する一例を示す図である。
【図１６】実施の形態３に係る照明システムにて照射領域の移動経路を入力する一例を示す図である。
【図１７】実施の形態３に係る照明システムにて照射領域の形状を入力する例を示す図である。
【図１８】実施の形態３に係る照明システムにて照明器具の全照射範囲を点灯させる場合の入力の一例を示す図である。
【図１９】実施の形態３に係る照明システムにて照明器具の全照射範囲が点灯された状態を示す図である。
【図２０】実施の形態４に係る照明システムを示す図である。
【図２１】実施の形態４に係る照明システムの動作を示す図である。
【図２２】実施の形態４の変形例１に係る照明システムの動作を示す図である。
【図２３】実施の形態５に係る照明システムを示す図である。
【発明を実施するための形態】
【００１０】
本実施の形態に係る照明システムは、複数の照明器具で照射する光を制御するシステムである。この照明システムは、例えば建物の床、天井、内壁、外壁またはスクリーンなどの被照射対象物に光を照射して、人の目を引き付けたり人を誘導したりする場合に用いられる。
【００１１】
以下、本発明の実施の形態について、図面を用いて詳細に説明する。なお、以下で説明する実施の形態は、いずれも本発明の好ましい一具体例を示す。以下の実施の形態で示される形状、構成要素、構成要素の配置位置および接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密に図示されたものではない。
【００１２】
（実施の形態１）
［１−１．照明システムの構成］
まず、実施の形態１に係る照明システム１について、図１〜図４を参照しながら説明する。図１は、実施の形態１に係る照明システム１を示す図である。図２は、照明システム１を示すブロック構成図である。図１以降において、図中のハッチングドットは、光が照射されている領域を示す。
【００１３】
照明システム１は、複数の照明器具と、制御部１０と、入力部３０とを備えている。複数の照明器具および入力部３０のそれぞれは、制御部１０に接続されている。本実施の形態では、複数の照明器具として第１照明器具４１および第２照明器具４２を備えている。以下、第１照明器具４１を照明器具４１と呼び、第２照明器具４２を照明器具４２と呼ぶ場合がある。
【００１４】
照明器具４１、４２は、光の照射領域５０、明るさおよび色を変更することが可能な照明本体部分である。照明器具４１、４２は、例えば、ＲＧＢ（赤緑青）の各色の発光素子を有するＬＥＤ（Light  Emitting  Diode）投光器であり、各発光素子から出射された光が合成されることで形成される光を照射する。
【００１５】
照明器具４１、４２の光の明るさは、各発光素子の光出力が制御部１０で制御されることによって変更される。照明器具４１、４２の光の色は、各発光素子の光出力の比が制御部１０で制御されることによって変更される。また、照明器具４１、４２は、レンズ、ミラー、プリズムまたはマスクなどの光学部材を備えている。照明器具４１、４２では、光学部材の配置等が制御部１０で制御されることによって、照射領域５０の位置および形状が変更される。なお、照射領域５０の形状とは、照射領域５０の大きさまたは輪郭を含む意味である。
【００１６】
照明器具４１は、床面の第１領域Ａ１の一部に光を照射し、第１領域Ａ１内に照射領域５０を形成する。第１領域Ａ１は、照明器具４１を用いて光を照射することが可能な最大の領域である。照明器具４１は、前述した光学部材を用いて、上記照射領域５０を第１領域Ａ１内にて移動させることができる。
【００１７】
照明器具４２は、床面の第２領域Ａ２の一部に光を照射し、第２領域Ａ２内に照射領域５０を形成する。第２領域Ａ２は、照明器具４２を用いて光を照射することが可能な最大の領域である。照明器具４２は、前述した光学部材を用いて、上記照射領域５０を第２領域Ａ２内にて移動させることができる。
【００１８】
第１領域Ａ１および第２領域Ａ２は、部分的に重なっている。第１領域Ａ１と第２領域Ａ２とが重なる領域である重複領域Ａ１２は、図１において斜線ハッチングで示されている。以下において、第１領域Ａ１のうち重複領域Ａ１２を除く領域を、重複外第１領域Ａ１ａと呼び、第２領域Ａ２のうち重複領域Ａ１２を除く領域を、重複外第２領域Ａ２ａと呼ぶ場合がある。
【００１９】
照明システム１は、第１モードＭ１、第２モードＭ２および中間モードＭ１２を有している。第１モードＭ１は、照明器具４１の光の照射領域５０を、重複外第１領域Ａ１ａ内にて移動させるモードである。第２モードＭ２は、照明器具４２の光の照射領域５０を、重複外第２領域Ａ２ａ内にて移動させるモードである。中間モードＭ１２は、第１モードＭ１と第２モードＭ２との間のモードであって、照明器具４１および照明器具４２の少なくとも一方の光の照射領域５０を重複領域Ａ１２内にて移動させるモードである。
【００２０】
照明システム１では、入力部３０を介して受け付けた指令に基づいて、照明器具４１、４２を制御する。その際、制御部１０によって、第１モードＭ１、中間モードＭ１２および第２モードＭ２のうちの少なくとも１つのモードが選択され、照明器具４１、４２が制御される。
【００２１】
入力部３０は、例えばマイクロフォンであり、入力部３０には、照明システム１を使用するユーザから発せられる音声が入力される。なお、入力部３０は、音声に限られず、キーボード、マウスまたはタッチパネルなどの操作機器による入力を受け付けてもよい。
【００２２】
制御部１０は、ＣＰＵ（Central  Processing  Unit）、ＲＡＭ（Random  Access  Memory）およびＲＯＭ（Read  Only  Memory）などを備えている。制御部１０は、入力部３０に入力された音声を解析する機能を有し、その解析結果に基づいて各照明器具４１、４２の照射領域５０の移動を制御する。制御部１０には、後述する照射領域５０の移動経路Ｔ１、Ｔ１２、Ｔ２が記憶されている。
【００２３】
例えば、入力部３０にて「光を第１領域から第２領域に移動」という音声を受け付けると、制御部１０は、照明器具４１、４２を制御し、照射領域５０を第１領域Ａ１から第２領域Ａ２に移動させる。具体的には、制御部１０は、照射領域５０が重複外第１領域Ａ１ａ内にて移動経路Ｔ１を描くように、重複領域Ａ１２内にて移動経路Ｔ１２を描くように、重複外第２領域Ａ２ａ内にて移動経路Ｔ２を描くように、照射領域５０を移動させる。また、制御部１０は、第１モードＭ１における照射領域５０の移動経路Ｔ１と中間モードＭ１２における照射領域５０の移動経路Ｔ１２とが繋がるように、かつ、当該移動経路Ｔ１２と第２モードＭ２における照射領域５０の移動経路Ｔ２とが繋がるように、照射領域５０の移動を制御する。
【００２４】
図１に示すように、移動経路Ｔ１、Ｔ１２は、重複外第１領域Ａ１ａと重複領域Ａ１２との境界線上にて繋がっており、連続性を有している。移動経路Ｔ１２、Ｔ２は、重複領域Ａ１２と重複外第２領域Ａ２ａとの境界線上にて繋がっており、連続性を有している。移動経路Ｔ１、Ｔ１２および移動経路Ｔ１２、Ｔ２は、それぞれ、直線状に繋がっていてもよいし、曲線状に繋がっていてもよい。曲線状に繋がる場合は、上記境界線上にて同じ曲率で繋がっていてもよい。
【００２５】
このように照明システム１では、第１モードＭ１における照射領域５０の移動経路Ｔ１と中間モードＭ１２における照射領域５０の移動経路Ｔ１２とが繋がるように、かつ、当該移動経路Ｔ１２と第２モードＭ２における照射領域５０の移動経路Ｔ２とが繋がるように、照射領域５０の移動を制御する。
【００２６】
これにより、照射領域５０を第１領域Ａ１から第２領域Ａ２に移動させる際の動きを、連続性を有する動きとして見せることができ、照明器具４１、４２で照射する光の誘目性を高めることができる。
【００２７】
［１−２．照明システムの動作］
次に、照明システム１の動作について、図１および図３を参照しながら説明する。図３は、照明システム１の動作を示すフローチャートである。
【００２８】
図１には、照明器具４１によって光が照射され、重複外第１領域Ａ１ａの位置Ｙ１に照射領域５０が形成されている状態が示されている。この状態で制御部１０は、例えば「光を第１領域から第２領域に移動」という音声入力を受け付けると、照射領域５０をＹ方向に向かって動かし、第１領域Ａ１から第２領域Ａ２に移動させる。
【００２９】
まず、制御部１０は、重複外第１領域Ａ１ａ内にて照射領域５０を移動させる（Ｓ１１、第１モードＭ１）。例えば制御部１０は、照射領域５０を予め決められた移動経路Ｔ１に沿って移動させる。
【００３０】
照射領域５０が重複領域Ａ１２内に入った後、制御部１０は、重複領域Ａ１２内にて照射領域５０をさらに移動させる（Ｓ１２、中間モードＭ１２）。例えば制御部１０は、照射領域５０を移動経路Ｔ１２に沿って移動させる。この中間モードＭ１２にて、制御部１０は、第１モードＭ１における照射領域５０の移動経路Ｔ１と、次のモードである第２モードＭ２における照射領域５０の移動経路Ｔ２とが繋がるように、照射領域５０を移動させる。中間モードＭ１２における照射領域５０は、照明器具４１および照明器具４２のいずれか一方の光で形成されてもよいし、両方の照明器具４１、４２の光で形成されてもよい。
【００３１】
次に、照射領域５０が重複外第２領域Ａ２ａ内に入った後、制御部１０は、重複外第２領域Ａ２ａ内にて照射領域５０をさらに移動させる（Ｓ１３、第２モードＭ２）。例えば制御部１０は、照射領域５０を予め決められた移動経路Ｔ２に沿って移動させる。そして制御部１０は、照射領域５０を位置Ｙ２まで移動させた後、移動を停止させる。これにより、照射領域５０の移動が終了する。
【００３２】
ここで、照射領域５０の移動時間と位置との関係について説明する。図４は、照明システム１における照射領域５０の移動時間と位置との関係を示す図である。
【００３３】
図４に示すように、制御部１０は、照射領域５０を位置Ｙ１から位置Ｙ２に移動させる場合に、照射領域５０の移動速度が同じとなるように移動させる。すなわち、制御部１０は、第１モードＭ１、中間モードＭ１２および第２モードＭ２におけるそれぞれの照射領域５０の移動速度が同じになるように、照射領域５０の移動を制御している。
【００３４】
このように、照射領域５０を移動させる場合に、照射領域５０の移動速度を同じとすることで、移動する際の違和感を抑制することができる。これにより、照明器具４１、４２で照射する光の誘目性が低下することを抑制できる。
【００３５】
なお、制御部１０は、照射領域５０を移動させる場合に、移動速度だけでなく、照射領域５０の輝度、色または形状が同じとなるように、照明器具４１、４２に光を照射させてもよい。
【００３６】
また、本実施の形態では、第１モードＭ１、中間モードＭ１２および第２モードＭ２が、順に実行される例を示したが、これに限られず、第２モードＭ２、中間モードＭ１２および第１モードＭ１が順に実行されてもよい。
【００３７】
また、第１モードＭ１、中間モードＭ１２および第２モードＭ２のそれぞれが、同時に実行されてもよい。例えば、照明器具４１を用いて重複領域Ａ１２に照射領域５０を形成しているときに、照明器具４２を用いて重複外第２領域Ａ２ａに照射領域５０形成してもよい。また、照明器具４１を用いて重複領域Ａ１２に照射領域５０を形成しているときに、同じ照明器具４１を用いて重複外第１領域Ａ１ａに照射領域５０形成してもよい。これらの照射領域５０の形成は、例えば、照明器具４１、４２の各発光素子から出射される光にマスクをかけたり、２つのレンズを用いて光を集光したりすることで実現できる。
【００３８】
［１−３．効果等］
本実施の形態に係る照明システム１は、第１領域Ａ１の一部に光を照射する第１照明器具４１と、第１領域Ａ１と部分的に重なる第２領域Ａ２の一部に光を照射する第２照明器具４２と、第１照明器具４１および第２照明器具４２を制御する制御部１０とを備える。照明システム１は、第１照明器具４１の光の照射領域５０を、第１領域Ａ１のうち第１領域Ａ１と第２領域Ａ２とが重なる重複領域Ａ１２を除く領域Ａ１ａ内にて移動させる第１モードＭ１と、第２照明器具４２の光の照射領域５０を、第２領域Ａ２のうち重複領域Ａ１２を除く領域Ａ２ａ内にて移動させる第２モードＭ２と、第１照明器具４１および第２照明器具４２の少なくとも一方の光の照射領域５０を、重複領域Ａ１２内にて移動させる中間モードＭ１２とを有する。制御部１０は、第１モードＭ１における照射領域５０の移動経路Ｔ１と中間モードＭ１２における照射領域５０の移動経路Ｔ１２とが繋がるように、かつ、中間モードＭ１２における照射領域５０の移動経路Ｔ１２と第２モードＭ２における照射領域５０の移動経路Ｔ２とが繋がるように、照射領域５０の移動を制御する。
【００３９】
これによれば、照射領域５０を第１領域Ａ１から第２領域Ａ２に移動させる際の動きを、連続性を有する動きとして見せることができ、照明器具４１、４２で照射する光の誘目性を高めることができる。
【００４０】
また、制御部１０は、第１モードＭ１、中間モードＭ１２および第２モードＭ２におけるそれぞれの照射領域５０の輝度、色、形状および移動速度のうち少なくとも１つが同じとなるように、照射領域５０に照射する光を制御してもよい。
【００４１】
このように照射領域５０の輝度、色、形状または移動速度を同じにすることで、照射領域５０が移動する際の違和感を抑制し、照明器具４１、４２で照射する光の誘目性が低下することを抑制できる。
【００４２】
［１−４．実施の形態１の変形例１］
次に、実施の形態１の変形例１に係る照明システム１Ａについて、図５〜図６Ｃを参照しながら説明する。変形例１では、照射領域５０を移動させる場合に、照射領域５０の形状、輝度、色または移動速度を変化させる例について説明する。
【００４３】
図５は、変形例１に係る照明システム１Ａを示す図である。図６Ａは、変形例１に係る照明システム１Ａの照射領域５０の面積および輝度の変化を示す図である。
【００４４】
図５および図６Ａに示す変形例１では、照射領域５０を第１領域Ａ１から第２領域Ａ２に移動させる場合に、照射領域５０の面積および輝度を変化させている。具体的には、照射領域５０を重複外第１領域Ａ１ａから重複領域Ａ１２に移動させる途中で、面積を徐々に小さくまた輝度を徐々に高くしている。また、照射領域５０を、重複領域Ａ１２から重複外第２領域Ａ２ａに移動させる途中で、面積を徐々に大きくまた輝度を徐々に小さくしている。この面積および輝度の変化は、例えば、照明器具４１、４２の各発光素子から出射される光にマスクをかけたり、複数のレンズを用いて光を集光したりすることで実現できる。
【００４５】
このように、照射領域５０を移動させる場合に、照射領域５０の面積および輝度を変化させることで、照射領域５０が移動中であることを目立たせることができ、照明器具４１、４２で照射する光の誘目性を高めることができる。
【００４６】
図６Ｂは、変形例１に係る照明システム１Ａの照射領域５０の色の変化を示す図である。図６Ｂに示す変形例１では、照射領域５０を第１領域Ａ１から第２領域Ａ２に移動させる場合に、照射領域５０の色温度を変化させている。具体的には、照射領域５０を重複外第１領域Ａ１ａから重複領域Ａ１２に移動させる途中で色温度を低くし、重複領域Ａ１２から重複外第２領域Ａ２ａに移動させる途中で色温度を高くし、移動前と同じ色温度に戻している。この色温度の変化は、例えば、照明器具４１、４２の各発光素子（ＲＧＢ）の光出力の比を変えることで実現できる。
【００４７】
このように、照射領域５０を移動させる場合に、照射領域５０の色を変えることで、照射領域５０が移動中であることを目立たせることができ、照明器具４１、４２で照射する光の誘目性を高めることができる。なお、図６Ｂの変形例１では照射領域５０の色を変化させるために、色温度を変化させる例を示したが、色温度の代わりに色度を変化させてもよい。
【００４８】
図６Ｃは、変形例１に係る照明システム１Ａの照射領域５０の移動速度の変化を示す図である。図６Ｃに示す変形例１では、照射領域５０を第１領域Ａ１から第２領域Ａ２に移動させる場合に、照射領域５０の移動速度を変化させている。具体的には、照射領域５０の移動開始時から移動速度を徐々に速くし、移動終了時に近づくにつれ移動速度を徐々に遅くしている。この移動速度の変化は、例えば、照明器具４１、４２のミラーまたはプリズムの角度を制御することで実現できる。
【００４９】
これによれば、照射領域５０の移動開始時は、照射領域５０の動きを容易に視認することができ、移動終了時は、照射領域５０の移動終了が間近であることを容易に視認することができる。これにより、照明器具４１、４２で照射する光の誘目性を高めることができる。
【００５０】
変形例１に係る照明システム１Ａでは、制御部１０が照射領域５０を移動させる場合に、照射領域５０の輝度、色、形状および移動速度のうち少なくとも１つが変化するように、照射領域５０に照射する光を制御する。
【００５１】
このように、照射領域５０を移動させる場合に、照射領域５０の輝度、色、形状または移動速度を変化させることで、照明器具４１、４２で照射する光の誘目性を高めることができる。
【００５２】
［１−５．実施の形態１の変形例２］
次に、実施の形態１の変形例２に係る照明システム１Ｂについて、図７および図８を参照しながら説明する。変形例２では、照射領域５０を移動させる場合に照射領域５０の形状を変化させ、また、照射領域５０の移動終了時に輝度を変化させる例について説明する。
【００５３】
図７は、変形例２に係る照明システム１Ｂを示す図である。図８は、変形例２に係る照明システム１Ｂの照射領域５０の輝度の変化を示す図である。
【００５４】
図７に示す変形例２では、照射領域５０を第１領域Ａ１から第２領域Ａ２に移動させる場合に、照射領域５０の形状を変化させている。具体的には、照射領域５０を重複外第１領域Ａ１ａ、重複領域Ａ１２、重複外第２領域Ａ２ａと順に移動させる場合に、円状、楕円状、矩形状に順に変化させている。これによれば、照射領域５０が移動中であることを周囲の人に気づかせることができる。
【００５５】
また、この変形例２では図８に示すように、照射領域５０の移動を終了した場合に、第２領域Ａ２において照射領域５０の輝度を変化させている。具体的には、移動終了後の時刻ｔ１〜時刻ｔ２間における照射領域５０の輝度を、移動中の輝度よりも高くし、時刻ｔ２を過ぎた時点で移動中と同じ輝度に戻している。
【００５６】
これによれば、照射領域５０の移動が終了したことを視覚的に報知することができる。なお、移動が終了したことを視覚的に報知する代わりに、音によって聴覚的に報知してもよい。また、制御部１０は、照射領域５０の移動が終了したことを報知するために、照射領域５０の輝度だけでなく、照射領域５０の形状または色を移動時と異なるように変化させてもよい。
【００５７】
変形例２に係る照明システム１Ｂでは、制御部１０は、第２モードＭ２において照射領域５０の移動を終了した場合に、照射領域５０の輝度、色および形状のうち少なくとも１つを移動時と異なるように、第２照明器具４２を制御する。
【００５８】
このように、照射領域５０の移動終了時に照射領域５０の輝度、色または形状を変化させることで、移動が終了したことを報知することができる。
【００５９】
［１−６．実施の形態１の変形例３］
次に、実施の形態１の変形例３に係る照明システム１Ｃについて、図９および図１０を参照しながら説明する。変形例３では、照明器具４１、４２の光を壁ｗ１、ｗ２に照射する例について説明する。
【００６０】
図９は、変形例３に係る照明システム１Ｃを示す図である。変形例３の照明システム１Ｃは、複数の照明器具４１、４２と、制御部１０と、入力部３０とを備えている。
【００６１】
変形例３の照明器具４１、４２は、実施の形態１の照明器具４１、４２とは左右逆の配置となっている。照明器具４１、４２のそれぞれは、両方の壁ｗ１、ｗ２を照射できる位置に設けられている。
【００６２】
照明器具４１は、壁ｗ１、ｗ２のうちの第１領域Ａ１の一部に光を照射し、第１領域Ａ１内に照射領域５０を形成する。照明器具４２は、壁ｗ１、ｗ２のうちの第２領域Ａ２の一部に光を照射し、第２領域Ａ２内に照射領域５０を形成する。第１領域Ａ１および第２領域Ａ２は、２つの壁ｗ１、ｗ２が交わるコーナ部において部分的に重なっている。
【００６３】
照明システム１Ｃでも、入力部３０を介して受け付けた指令に基づいて、照明器具４１、４２が制御される。その際、制御部１０によって、第１モードＭ１、中間モードＭ１２および第２モードＭ２のうちの少なくとも１つのモードが選択され、照明器具４１、４２が制御される。なお、中間モードＭ１２は、上記のコーナ部付近にて実施される。
【００６４】
例えば、入力部３０にて「光を第１領域から第２領域に移動」という音声を受け付けると、制御部１０は、照明器具４１、４２を制御し、照射領域５０を第１領域Ａ１から第２領域Ａ２に移動させる。例えば、制御部１０は、第１モードＭ１における照射領域５０の移動経路Ｔ１と中間モードＭ１２における照射領域５０の移動経路Ｔ１２とが繋がるように、かつ、当該移動経路Ｔ１２と第２モードＭ２における照射領域５０の移動経路Ｔ２とが繋がるように、照射領域５０の移動を制御する。
【００６５】
図１０は、変形例３に係る照明システム１Ｃの照射領域５０の位置の変化を示す図である。制御部１０は、図１０の（ａ）に示すように第１モードＭ１および中間モードＭ１２が併存する場合に、照明器具４１を用いて第１領域Ａ１内に照射領域５０を形成する。また、制御部１０は、図１０の（ｂ）に示す中間モードＭ１２では、２つの照明器具４１、４２を用いて重複領域Ａ１２内に照射領域５０を形成する。また制御部１０は、図１０の（ｃ）に示すように中間モードＭ１２および第２モードＭ２が併存する場合に、照明器具４２を用いて第２領域Ａ２内に照射領域５０を形成する。そして制御部１０は、照射領域５０をコーナ部付近にて移動させる場合、照射領域５０の面積が同じとなるように、各照明器具４１、４２の照射領域５０を制御する。
【００６６】
変形例３の照明システム１Ｃでは、コーナ部付近にて、照射領域５０の面積が同じとなるように照射領域５０を移動させるので、照射領域５０がスムーズに動くように見せることができる。これにより、照明器具４１、４２で照射する光の誘目性を高めることができる。
【００６７】
（実施の形態２）
［２−１．照明システムの構成および動作］
次に、実施の形態２に係る照明システム１Ｄについて、図１１〜図１３を参照しながら説明する。実施の形態２では、第１領域Ａ１および第２領域Ａ２が重複しておらず、間隔があいている形態について説明する。
【００６８】
図１１は、実施の形態２に係る照明システム１Ｄを示す図である。
【００６９】
照明システム１Ｄは、複数の照明器具４１、４２と、制御部１０と、入力部３０とを備えている。照明器具４１、４２および入力部３０のそれぞれは、制御部１０に接続されている。
【００７０】
照明器具４１は、床面の第１領域Ａ１の一部に光を照射し、第１領域Ａ１内に照射領域５０を形成する。照明器具４２は、床面の第２領域Ａ２の一部に光を照射し、第２領域Ａ２内に照射領域５０を形成する。第１領域Ａ１および第２領域Ａ２は重なっておらず、第２領域Ａ２は、第１領域Ａ１に間をあけて位置している。第１領域Ａ１と第２領域Ａ２との間の領域Ａ３（以下、間の領域Ａ３と呼ぶ）には、照明器具４１、４２の光が照射されない。
【００７１】
照明システム１Ｄは、第１モードＭ１、第２モードＭ２および中間モードＭ１２を有している。第１モードＭ１は、照明器具４１の光の照射領域５０を第１領域Ａ１内にて移動させるモードである。第２モードＭ２は、照明器具４２の光の照射領域５０を第２領域Ａ２内にて移動させるモードである。中間モードＭ１２は、第１モードＭ１と第２モードＭ２との間のモードであり、間の領域Ａ３にて照明器具４１、４２の光が照射されないモードである。
【００７２】
照明システム１Ｄでは、入力部３０を介して受け付けた指令に基づいて、照明器具４１、４２を制御する。その際、制御部１０によって、第１モードＭ１、中間モードＭ１２および第２モードＭ２のうちの少なくとも１つのモードが選択され、照明器具４１、４２が制御される。
【００７３】
例えば、入力部３０にて「光を第１領域から第２領域に移動」という音声を受け付けると、制御部１０は、照明器具４１、４２を制御し、照射領域５０を第１領域Ａ１から第２領域Ａ２に移動させる。具体的には、制御部１０は、照射領域５０が第１領域Ａ１内にて移動経路Ｔ１を描くように、また、第２領域Ａ２内にて移動経路Ｔ２を描くように、照射領域５０を移動させる。また、制御部１０は、間の領域Ａ３において第１モードＭ１における照射領域５０の移動経路Ｔ１と第２モードＭ２における照射領域５０の移動経路Ｔ２とが仮想的に繋がるように、第１モードＭ１および第２モードＭ２における照射領域５０の移動を制御する。
【００７４】
間の領域Ａ３にて移動経路Ｔ１と移動経路Ｔ２とが仮想的に繋がるとは、例えば、移動経路Ｔ１、Ｔ２が直線である場合、移動経路Ｔ１、Ｔ２が同じ直線上に位置し、間の領域Ａ３にて移動経路Ｔ１、Ｔ２が上記直線にて接続され得ることを意味する。また例えば、移動経路Ｔ１、Ｔ２が円弧である場合、移動経路Ｔ１、Ｔ２が同一円上に位置し、間の領域Ａ３にて移動経路Ｔ１、Ｔ２が上記円にて接続され得ることを意味する。また例えば、移動経路Ｔ１、Ｔ２が曲線である場合、移動経路Ｔ１、Ｔ２が同じ曲線上に位置し、間の領域Ａ３にて移動経路Ｔ１、Ｔ２が上記曲線にて接続され得ることを意味する。
【００７５】
このように照明システム１Ｄでは、間の領域Ａ３において第１モードＭ１における照射領域５０の移動経路Ｔ１と第２モードＭ２における照射領域５０の移動経路Ｔ２とが仮想的に繋がるように、第１モードＭ１および第２モードＭ２における照射領域５０の移動を制御する。
【００７６】
これにより、照射領域５０を第１領域Ａ１から第２領域Ａ２に移動させる際の動きを、連続性を有する動きとして見せることができ、照明器具４１、４２で照射する光の誘目性を高めることができる。
【００７７】
次に、照明システム１Ｄの動作について、図１２を参照しながら説明する。図１２は、照明システム１Ｄの動作を示すフローチャートである。
【００７８】
図１２には、照明器具４１によって光が照射され、第１領域Ａ１の位置Ｙ１に照射領域５０が形成されている状態が示されている。この状態で制御部１０は、例えば「光を第１領域から第２領域に移動」という音声入力を受け付けると、照射領域５０をＹ方向に向かって動かし、第１領域Ａ１から第２領域Ａ２に移動させる。
【００７９】
まず、制御部１０は、第１領域Ａ１内にて照射領域５０を移動させる（Ｓ２１、第１モードＭ１）。例えば制御部１０は、照射領域５０を予め決められた移動経路Ｔ１に沿って移動させる。
【００８０】
第１領域Ａ１と第２領域Ａ２との間の領域Ａ３では、制御部１０は、照明器具４１、４２を消灯させる（Ｓ２２、中間モードＭ１２）。このステップＳ２２に費やす時間は、所定時間の間続く。
【００８１】
所定時間の中間モードＭ１２が終わると、制御部１０は、第２領域Ａ２内にて照射領域５０を移動させる（Ｓ２３、第２モードＭ２）。例えば制御部１０は、照射領域５０を予め決められた移動経路Ｔ２に沿って移動させる。そして制御部１０は、照射領域５０を位置Ｙ２まで移動させた後、移動を停止させる。これにより照射領域５０の移動が終了する。
【００８２】
ここで、照射領域５０の移動時間と位置との関係について説明する。図１３は、照明システム１Ｄにおける照射領域５０の移動時間と位置との関係を示す図である。
【００８３】
図１３に示すように、制御部１０は、照射領域５０を位置Ｙ１から位置Ｙ２に移動させる場合に、照射領域５０の移動速度が同じとなるように移動させる。すなわち、制御部１０は、第１モードＭ１および第２モードＭ２におけるそれぞれの照射領域５０の移動速度が同じになるように、照射領域５０の移動を制御している。
【００８４】
このように、照射領域５０を移動させる場合に、照射領域５０の移動速度を同じとすることで、移動する際の違和感を抑制することができる。これにより、照明器具４１、４２で照射する光の誘目性が低下することを抑制できる。
【００８５】
なお、制御部１０は、照射領域５０を移動させる場合に、移動速度だけでなく、照射領域５０の輝度、色または形状が同じとなるように、照明器具４１、４２に光を照射させてもよい。
【００８６】
また、本実施の形態では、第１モードＭ１、中間モードＭ１２および第２モードＭ２が、順に実行される例を示したが、それに限られず、第２モードＭ２、中間モードＭ１２および第１モードＭ１が順に実行されてもよい。
【００８７】
［２−２．効果等］
本実施の形態に係る照明システム１Ｄは、第１領域Ａ１の一部に光を照射する第１照明器具４１と、第１領域Ａ１に間をあけて位置する第２領域Ａ２の一部に光を照射する第２照明器具４２と、第１照明器具４１および第２照明器具４２を制御する制御部１０とを備える。照明システム１Ｄは、第１照明器具４１の光の照射領域５０を第１領域Ａ１内にて移動させる第１モードＭ１と、第２照明器具４２の光の照射領域５０を第２領域Ａ２内にて移動させる第２モードＭ２とを有している。制御部１０は、第１領域Ａ１と第２領域Ａ２との間の領域Ａ３において第１モードＭ１における照射領域５０の移動経路Ｔ１と第２モードＭ２における照射領域５０の移動経路Ｔ２とが仮想的に繋がるように、第１モードＭ１および第２モードＭ２における照射領域５０の移動を制御する。
【００８８】
これによれば、照射領域５０を第１領域Ａ１から第２領域Ａ２に移動させる際の動きを、連続性を有する動きとして見せることができ、照明器具４１、４２で照射する光の誘目性を高めることができる。
【００８９】
また、制御部１０は、第１モードＭ１および第２モードＭ２におけるそれぞれの照射領域５０の移動速度が同じとなるように、照射領域５０の移動を制御してもよい。
【００９０】
このように照射領域５０の移動速度を同じにすることで、照射領域５０が移動する際の違和感を抑制し、照明器具４１、４２で照射する光の誘目性が低下することを抑制できる。
【００９１】
［２−３．実施の形態２の変形例１］
次に、実施の形態２の変形例１に係る照明システム１Ｄについて、図１４を参照しながら説明する。図１４は、実施の形態２の変形例１に係る照明システム１Ｄの光の点滅状態を示す図である。この変形例１では、照射領域５０を第１領域Ａ１から第２領域Ａ２に移動させる場合に、照明器具４１または４２の光を周期的に点滅させている。
【００９２】
変形例１の照明システム１Ｄでは、照射領域５０を第１領域Ａ１から第２領域Ａ２に移動させる場合に、照明器具４１、４２のそれぞれを周期的に点滅させ、かつ、当該点滅の周期のうちの消灯時間と上記間の領域Ａ３にて費やす時間とが同じになるように、照明器具４１、４２を制御する。
【００９３】
このように、点滅の周期のうちの消灯時間と上記間の領域Ａ３にて費やす時間とが同じになるように、照明器具４１、４２を制御することで、間の領域Ａ３にてあたかも光が移動しているように感じさせることができる。これにより、第１領域Ａ１と第２領域Ａ２との間に光が照射されない間の領域Ａ３がある場合であっても、照明器具４１、４２で照射する光の誘目性が低下することを抑制できる。
【００９４】
（実施の形態３）
次に、実施の形態３に係る照明システム１Ｅについて、図１５〜図１９を参照しながら説明する。実施の形態３では、レーザポインタなどを用いて照射領域５０の移動経路Ｔ３を設定する形態について説明する。
【００９５】
図１５は、実施の形態３の照明システム１Ｅにて照射領域５０を入力する一例を示す図である。
【００９６】
実施の形態３の照明システム１Ｅは、複数の照明器具４１、４２と、制御部１０と、入力部３０とを備え、さらに、入力部３０と異なる入力部３１を備えている。入力部３１は、例えば、レーザポインタなどの指向性を有する指示具である。例えば、図１５に示すように、入力部３１を用いて壁ｗ１に指示点ｐを照射することで、照射領域５０の移動の始点が入力される。
【００９７】
図１６は、照明システム１Ｅにて照射領域５０の移動経路Ｔ３を入力する一例を示す図である。
【００９８】
図１６に示すように、照射領域５０の移動経路Ｔ３は、図１５に示すように照射領域５０の移動の始点を入力した後、指示点ｐを壁ｗ１からｗ２に移動させることで入力する。例えば、入力部３１を用いて、指示点ｐを所定の経路を描くように移動させ、移動経路Ｔ３を入力することができる。
【００９９】
入力部３１で入力される移動経路Ｔ３は、例えば、照明システム１Ｅが備えるカメラ（図示省略）によって特定される。また、移動経路Ｔ３は、入力部３１が備える位置検出センサ（図示省略）によって検出されてもよい。位置検出センサによって検出された移動経路Ｔ３は、例えば、入力部３１が備える無線モジュールによって制御部１０に送信され、制御部１０に記憶される。上記に示した入力部３１を用いることで、照射領域５０の位置および移動経路Ｔ３を簡易に設定することができる。
【０１００】
図１７は、照明システム１Ｅにて照射領域５０の形状を入力する例を示す図である。
【０１０１】
照射領域５０の形状は、図１７の（ａ）に示すように、入力部３１を用いて入力した指示点ｐの軌跡が楕円状であると、その形状に近似した楕円形となり、図１７の（ｂ）に示すように、指示点ｐの軌跡が矩形状であると、その形状に近似した四角形となる。また、図１７の（ｃ）に示すように、指示点ｐの位置を入力した後、所定の半径を入力することで、円形の照射領域５０を設定することができる。なお、照射領域５０の位置および形状は、入力部３１に限られず、入力部３０を用いた音声入力によって実行されてもよい。
【０１０２】
このように実施の形態３の照明システム１Ｅは、さらに、第１領域Ａ１および第２領域Ａ２の位置、または、形状を入力する入力部３１を有する。これによれば、照射領域５０の位置および形状を簡易に設定することができる。
【０１０３】
次に、照明器具４１、４２の全照射範囲を点灯させる例について説明する。図１８は、照明システム１Ｅにて照明器具４１、４２の全照射範囲を点灯させる場合の入力の一例を示す図である。図１９は、照明システム１Ｅにて照射領域５０の全範囲が点灯された状態を示す図である。
【０１０４】
例えば、図１８に示すように、入力部３１を用いて、第１領域Ａ１および第２領域Ａ２が存在する壁ｗ１、ｗ２に対して指示点ｐを交互に照射する。照明システム１Ｅは、カメラ等で壁ｗ１、ｗ２上に照射された指示点ｐの動きを検知する。すると図１９に示すように、制御部１０は、照明器具４１、４２の全照射範囲を照射する。この照明器具４１、４２の全照射範囲の点灯は、入力部３１を用いた入力に限られず、入力部３０を用いた音声入力によって実行されてもよい。
【０１０５】
このように、制御部１０は、所定の入力を受け付けた場合に、第１領域Ａ１および第２領域Ａ２の全範囲に光が照射されるように、第１照明器具４１および第２照明器具４２を制御してもよい。これによれば、ユーザによる簡易な操作で、照明器具４１、４２の全照射範囲を知ることができる。
【０１０６】
（実施の形態４）
次に、実施の形態４に係る照明システム１Ｆについて、図２０および図２１を参照しながら説明する。実施の形態４では、照明器具４１、４２を使用するユーザが複数存在する形態について説明する。
【０１０７】
図２０は、実施の形態４に係る照明システム１Ｆを示す図である。
【０１０８】
照明システム１Ｆは、２つの照明器具４１、４２と、制御部１０と、入力部３０とを備えている。２つの照明器具４１、４２および入力部３０のそれぞれは、制御部１０に接続されている。入力部３０は、例えば、音を検知するマイクロフォンである。
【０１０９】
照明器具４１は、第１領域Ａ１の一部に光を照射し、第１領域Ａ１内に照射領域５０を形成する。照明器具４２は、第２領域Ａ２の一部に光を照射し、第２領域Ａ２内に照射領域５０を形成する。第１領域Ａ１および第２領域Ａ２は、部分的に重なっている。
【０１１０】
照明システム１Ｆは、第１モードＭ１、第２モードＭ２および中間モードＭ１２を有している。実施の形態４の第１モードＭ１は、照明器具４１の光の照射領域５０を重複外第１領域Ａ１ａ内にて移動させるモードであり、また、照明器具４２の光の照射領域５０を重複外第２領域Ａ２ａ内にて移動させるモードである。第２モードＭ２は、照明器具４１の光の照射領域５０を重複外第１領域Ａ１ａ内にて移動させるモードであり、また、照明器具４２の光の照射領域５０を重複外第２領域Ａ２ａ内にて移動させるモードである。中間モードＭ１２は、第１モードＭ１と第２モードＭ２との間のモードであって、照明器具４１および照明器具４２の少なくとも一方の光の照射領域５０を重複領域Ａ１２内にて移動させるモードである。
【０１１１】
照明システム１Ｆでは、入力部３０を介して受け付けた指令に基づいて、照明器具４１、４２を制御する。その際、制御部１０によって、第１モードＭ１、中間モードＭ１２および第２モードＭ２のうちの少なくとも１つのモードが選択され、照明器具４１、４２が制御される。
【０１１２】
次に、図２１を参照して、照明システム１Ｆの動作について説明する。図２１は、照明システム１Ｆの動作を示す図であり、２つの照明器具４１、４２の光を重複領域Ａ１２にて集約した後、離間させる例が示されている。
【０１１３】
図２１の（ａ）は、第１モードＭ１の場面であり、各照明器具４１、４２によって重複外第１領域Ａ１ａおよび重複外第２領域Ａ２ａのそれぞれに照射領域５０が形成されている。この図では、ユーザｕ１が重複外第１領域Ａ１ａの照射領域５０近くに位置し、また、ユーザｕ２が重複外第２領域Ａ２ａの照射領域５０の近くに位置している。これにより、ユーザｕ１、ｕ２が各自の作業を行える環境となっている。
【０１１４】
この場面にて例えば入力部３０が、ユーザｕ１またはｕ２の「情報共有」という音声を検知すると、次の中間モードＭ１２に移行する。
【０１１５】
図２１の（ｂ）は、中間モードＭ１２の場面を示す図である。制御部１０は、入力部３０にて検知した音声に基づいて各照射領域５０を移動させる。具体的に制御部１０は、照明器具４１を用いて重複外第１領域Ａ１ａの照射領域５０を重複領域Ａ１２に向けて移動させ、また、照明器具４２を用いて重複外第２領域Ａ２ａの照射領域５０を重複領域Ａ１２に向けて移動させる。ユーザｕ１、ｕ２は、各自で作成した書類６１、６２を、照射領域５０の移動に伴って重複領域Ａ１２に移動させる。このように、重複領域Ａ１２内に共通する照射領域５０を形成し、その照射領域５０内に各自で作成した書類６１、６２を配置することで、ユーザｕ１、ｕ２が共同の作業を行える環境を形成することができる。
【０１１６】
また制御部１０は、照射領域５０を移動させる場合に、第１モードＭ１における照射領域５０の移動経路と中間モードＭ１２における照射領域５０の移動経路とが繋がるように、照射領域５０の移動を制御する。これにより、照射領域５０をスムーズに動かすことができる。
【０１１７】
この場面にて例えば入力部３０が、ユーザｕ１またはｕ２の「個別作業」という音声を検知すると、次の第２モードＭ２に移行する。
【０１１８】
図２１の（ｃ）は、第２モードＭ２の場面を示す図である。制御部１０は、入力部３０にて検知した音声に基づいて、照射領域５０を各ユーザｕ１、ｕ２の元の位置に移動させる。これにより再び、ユーザｕ１、ｕ２が各自の作業を行える環境を形成することができる。
【０１１９】
この照明システム１Ｆによれば、複数の照明器具４１、４２を用いて、複数のユーザｕ１、ｕ２に各自で作業を行わせたり、共同で作業を行わせたりする環境をつくることができる。また、個別作業と共同作業とを切り替える場合に、照射領域５０をスムーズに移動させることで、次の作業に切り替わる際の違和感を低減することができる。
【０１２０】
次に、実施の形態４の変形例１に係る照明システム１Ｆについて、図２２を参照しながら説明する。
【０１２１】
図２２は、実施の形態４の変形例１に係る照明システム１Ｆの動作を示す図である。図２２には、２つの照明器具４１、４２の光を重複領域Ａ１２にて重ねた後、さらに移動させる例が示されている。
【０１２２】
図２２の（ａ）は、第１モードＭ１の場面であり、各照明器具４１、４２によって重複外第１領域Ａ１ａおよび重複外第２領域Ａ２ａのそれぞれに、照射領域５０が形成されている。この図では、ユーザｕ１が重複外第１領域Ａ１ａの照射領域５０近くに位置し、また、ユーザｕ２が重複外第２領域Ａ２ａの照射領域５０の近くに位置し、各自の作業を行える環境となっている。
【０１２３】
この場面にて例えば入力部３０が、ユーザｕ１またはｕ２の「情報交換」という音声を検知すると、次の中間モードＭ１２に移行する。
【０１２４】
図２２の（ｂ）は、中間モードＭ１２の場面を示す図である。制御部１０は、入力部３０にて検知した音声に基づいて各照射領域５０を移動させる。具体的に制御部１０は、照明器具４１を用いて重複外第１領域Ａ１ａの照射領域５０を重複領域Ａ１２に向けて移動させ、また、照明器具４２を用いて重複外第２領域Ａ２ａの照射領域５０を重複領域Ａ１２に向けて移動させる。
【０１２５】
さらに制御部１０は、照明器具４１を用いて重複領域Ａ１２の照射領域５０を重複外第１領域Ａ１ａに向けて移動させ、また、照明器具４２を用いて重複領域Ａ１２の照射領域５０を重複外第２領域Ａ２ａに向けて移動させる。
【０１２６】
図２２の（ｃ）は、第２モードＭ２の場面であり、制御部１０は、各ユーザｕ１、ｕ２の近くに位置に各照射領域５０を移動させる。ユーザｕ１、ｕ２は、各自で作成した書類６１、６２を、照射領域５０の移動に伴って相手側の照射領域５０に移動させる。これにより、ユーザｕ１、ｕ２が互いの情報を交換し、その交換した情報に基づいて作業を行う環境を形成することができる。
【０１２７】
制御部１０は、照射領域５０を移動させる場合に、第１モードＭ１における照射領域５０の移動経路と中間モードＭ１２における照射領域５０の移動経路とが繋がるように、また、中間モードＭ１２における照射領域５０の移動経路と第２モードＭ２における照射領域５０の移動経路とが繋がるように、照射領域５０の移動を制御する。これにより、照射領域５０をスムーズに動かすことができる。
【０１２８】
この変形例１の照明システム１Ｆによれば、複数の照明器具４１、４２を用いて、複数のユーザｕ１、ｕ２に各自で作業を行わせたり、情報交換して作業させたりする環境をつくることができる。また、これらの作業を切り替える場合に、照射領域５０をスムーズに移動させることで、次の作業に切り替わる際の違和感を低減することができる。
【０１２９】
なお、ユーザの数は２人に限られない。照明システム１Ｆは、例えば、３人目のユーザの声によって照明器具４１、４２を制御してもよい。また、ユーザｕ１とユーザｕ２とで優先順位を設定し、優先順位の高いユーザｕ１の指令を優先的に受け付けて実行してもよい。
【０１３０】
（実施の形態５）
次に、実施の形態５に係る照明システム１Ｇについて、図２３を参照しながら説明する。実施の形態５は、災害発生時に避難者を誘導するための照明システム１Ｇである。
【０１３１】
図２３は、実施の形態５に係る照明システム１Ｇを示す図である。照明システム１Ｇは、複数の照明器具４１、４２、４３と、制御部１０と、入力部３０とを備えている。複数の照明器具４１〜４３および入力部３０のそれぞれは、制御部１０に接続されている。入力部３０は、例えば、カメラ等であり、人や物の状態を検知することができる。
【０１３２】
この照明システム１Ｇでは、例えば照明器具４１、４２の光を廊下（床面）に照射し、照射領域５０を廊下に沿って移動させることで避難誘導を行う。また、建物の出口Ａ付近では、照射領域５０の形状を矢印状に変化させて、出口であることを避難者に示す。
【０１３３】
照明システム１Ｇでは、照射領域５０を移動させる際、避難者に違和感が生じないように、一定速度で照射領域５０を移動させてもよい。また、緊急度が高い場合は、移動速度を速めてもよい。また、延焼状況や出口Ａ、Ｂの混雑状況などに応じて、他の避難ルートを設定して、避難者を誘導してもよい。また、照明システム１Ｇは、多くの人や物で廊下が隠れ、入力部３０にて廊下を検知しにくい場合に、壁に光を照射して照射領域５０を形成して避難者を誘導してもよい。
【０１３４】
この照明システム１Ｇによれば、災害発生時において、避難者の目を引き付けつつ、安全に避難誘導を行うことができる。
【０１３５】
（その他の実施の形態）
以上、実施の形態に係る照明システム１〜１Ｇについて説明したが、本発明は、上記実施の形態に限定されるものではない。
【０１３６】
例えば、上記実施の形態では、制御部１０は、２つの照明器具４１、４２を制御したが、これに限らない。例えば、制御部１０は、３つ以上の照明器具を制御してもよい。
【０１３７】
例えば、上記実施の形態の照明器具４１、４２は、液晶フィルタを介して光を出射する投光器であってもよい。また、照明器具４１、４２は、スキャニング投光のように時分割して光を出射する投光器であってもよい。
【０１３８】
例えば、照明器具４１、４２は、例えば、青色ＬＥＤおよび黄色蛍光体で構成された色温度の異なる光源を複数備えていてもよい。また、照明器具４１、４２は、近紫外ＬＥＤおよびＲＧＢ蛍光体で構成された光源を複数備えていてもよい。
【０１３９】
例えば、上記実施の形態では、制御部１０は、１つの入力部３０の入力に応じて、照明器具４１、４２を制御したが、これに限らない。例えば、制御部１０は、複数の入力部３０の入力に応じて、複数の照明器具４１、４２を制御してもよい。
【０１４０】
入力部３０は、カメラなどの人の顔等を判別できるものであってもよい。照明システム１〜１Ｇは、例えば、赤外線カメラでユーザの顔を検知することで、ユーザの好みに応じた照射領域の動きを演出してもよい。
【０１４１】
例えば、実施の形態１では、照明器具４１、４２と、制御部１０と、入力部３０とを備える照明システム１を示したが、それに限られず、照明器具４１、４２と、制御部１０と、入力部３０とを１つの筐体内に入れ、照明システム１を１つの装置として形成してもよい。
【０１４２】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【０１４３】
１、１Ａ、１Ｂ、１Ｃ、１Ｄ、１Ｅ、１Ｆ、１Ｇ  照明システム
１０    制御部
３０、３１  入力部
４１    照明器具（第１照明器具）
４２    照明器具（第２照明器具）
５０    照射領域
Ａ１    第１領域
Ａ１ａ  重複外第１領域（第１領域のうち重複領域を除く領域）
Ａ１２  重複領域
Ａ２    第２領域
Ａ２ａ  重複外第２領域（第２領域のうち重複領域を除く領域）
Ａ３    間の領域
Ｍ１    第１モード
Ｍ１２  中間モード
Ｍ２    第２モード
Ｔ１、Ｔ１２、Ｔ２、Ｔ３  移動経路
【図１】
2019169397.tif 000003
【図２】
2019169397.tif 000004
【図３】
2019169397.tif 000005
【図４】
2019169397.tif 000006
【図５】
2019169397.tif 000007
【図６Ａ】
2019169397.tif 000008
【図６Ｂ】
2019169397.tif 000009
【図６Ｃ】
2019169397.tif 000010
【図７】
2019169397.tif 000011
【図８】
2019169397.tif 000012
【図９】
2019169397.tif 000013
【図１０】
2019169397.tif 000014
【図１１】
2019169397.tif 000015
【図１２】
2019169397.tif 000016
【図１３】
2019169397.tif 000017
【図１４】
2019169397.tif 000018
【図１５】
2019169397.tif 000019
【図１６】
2019169397.tif 000020
【図１７】
2019169397.tif 000021
【図１８】
2019169397.tif 000022
【図１９】
2019169397.tif 000023
【図２０】
2019169397.tif 000024
【図２１】
2019169397.tif 000025
【図２２】
2019169397.tif 000026
【図２３】
2019169397.tif 000027